(57)【要約】【課題】修正されたデータを用いて再組版処理を行う場合であっても、どの部分が修正されたのかをオペレータに一目で把握させることが可能な組版装置、組版方法、及び組版処理プログラムを提供する。【解決手段】本発明は、組版データの基になる複数の基データをデータベースから取得する取得手段と、前記取得された複数の基データに基づいて組版処理を行う組版手段と、前記組版処理により得られた組版データに対するオペレータからの修正指示に従って前記基データの修正処理を行う修正手段と、前記修正された基データを含む前記複数の基データに基づいて再組版処理を行う組版手段と、前記組版処理及び再組版処理により得られた組版データを表示画面上に表示させる表示制御手段と、を備え、前記表示制御手段は、前記再組版処理により得られた組版データを表示させる際に、前記修正処理により修正された基データが前記組版データ上で配置される位置に、当該修正があったことを視認可能な情報を当該組版データに重畳させて表示させる。【選択図】図６
2008269039.tif 000002
【特許請求の範囲】
【請求項１】
組版データの基になる複数の基データをデータベースから取得する取得手段と、
前記取得された複数の基データに基づいて組版処理を行う組版手段と、
前記組版処理により得られた組版データに対するオペレータからの修正指示に従って前記基データの修正処理を行う修正手段と、
前記修正された基データを含む前記複数の基データに基づいて再組版処理を行う組版手段と、
前記組版処理及び再組版処理により得られた組版データを表示画面上に表示させる表示制御手段と、
を備え、
前記表示制御手段は、前記再組版処理により得られた組版データを表示させる際に、前記修正処理により修正された基データが前記組版データ上で配置される位置に、当該修正があったことを視認可能な情報を当該組版データに重畳させて表示させることを特徴とする組版装置。
【請求項２】
請求項１に記載の組版装置において、
前記表示制御手段は、前記修正された基データが前記組版データ上で配置されるフレーム上に、当該修正があったことを視認可能なフレームであって、当該修正された基データが透けて視認可能なフレームを重畳させて表示させることを特徴とする組版装置。
【請求項３】
組版データの基になる複数の基データをデータベースから取得する取得工程と、
前記取得された複数の基データに基づいて組版処理を行う組版工程と、
前記組版処理により得られた組版データに対するオペレータからの修正指示に従って前記基データの修正処理を行う修正工程と、
前記修正された基データを含む前記複数の基データに基づいて再組版処理を行う組版工程と、
前記組版処理及び再組版処理により得られた組版データを表示画面上に表示させる表示制御工程と、
を備え、
前記表示制御工程においては、前記再組版処理により得られた組版データを表示させる際に、前記修正処理により修正された基データが前記組版データ上で配置される位置に、当該修正があったことを視認可能な情報を当該組版データに重畳させて表示させることを特徴とする組版方法。
【請求項４】
コンピュータを、
組版データの基になる複数の基データをデータベースから取得する取得手段、
前記取得された複数の基データに基づいて組版処理を行う組版手段、
前記組版処理により得られた組版データに対するオペレータからの修正指示に従って前記基データの修正処理を行う修正手段、
前記修正された基データを含む前記複数の基データに基づいて再組版処理を行う組版手段、及び、
前記組版処理及び再組版処理により得られた組版データを表示画面上に表示させる表示制御手段として機能させ、
前記表示制御手段を、前記再組版処理により得られた組版データを表示させる際に、前記修正処理により修正された基データが前記組版データ上で配置される位置に、当該修正があったことを視認可能な情報を当該組版データに重畳させて表示させるように機能させることを特徴とする組版処理プログラム。
【発明の詳細な説明】
【技術分野】
【０００１】
本発明は、データベース上のデータに基づき、ＤＴＰ（Desk Top Publishing）データの作成及び編集を行うシステム等の技術分野に関する。
【背景技術】
【０００２】
この種のシステムでは、カタログ、チラシ、雑誌等に掲載する各種情報（例えば、商品や店舗に関する情報）をデータベースから読み込み、かかる情報に基づいて組版処理を行いＤＴＰデータを作成するようになっている。組版処理により得られたＤＴＰデータはディスプレイ上に表示される。
【０００３】
こうして表示されたＤＴＰデータ上に表示されたデータは修正可能であり、当該データが修正された場合、修正されたデータ等に基づいて再組版処理を行うことが可能になっている（例えば、特許文献１参照）。
【特許文献１】特開２００２−３５１８６１号公報
【発明の開示】
【発明が解決しようとする課題】
【０００４】
しかしながら、上述したようなＤＴＰデータの再組版処理を行っても、オペレータが、ＤＴＰデータのどの部分が修正されているかを確認するのは容易ではなかった。特に、自動組版で作成するＤＴＰデータはページ数の多いものが多く、多くのページのうち、どの部分が修正されたのかを確認するには大変な時間と注意力が必要であった。
【０００５】
そこで、本発明は、上記点に鑑みてなされたものであり、修正されたデータを用いて再組版処理を行う場合であっても、どの部分が修正されたのかをオペレータに一目で把握させることが可能な組版装置、組版方法、及び組版処理プログラムを提供することを課題とする。
【課題を解決するための手段】
【０００６】
上記課題を解決するために、請求項１に記載の発明は、組版データの基になる複数の基データをデータベースから取得する取得手段と、前記取得された複数の基データに基づいて組版処理を行う組版手段と、前記組版処理により得られた組版データに対するオペレータからの修正指示に従って前記基データの修正処理を行う修正手段と、前記修正された基データを含む前記複数の基データに基づいて再組版処理を行う組版手段と、前記組版処理及び再組版処理により得られた組版データを表示画面上に表示させる表示制御手段と、を備え、前記表示制御手段は、前記再組版処理により得られた組版データを表示させる際に、前記修正処理により修正された基データが前記組版データ上で配置される位置に、当該修正があったことを視認可能な情報を当該組版データに重畳させて表示させることを特徴とする。
【０００７】
請求項２に記載の発明は、請求項１に記載の組版装置において、前記表示制御手段は、前記修正された基データが前記組版データ上で配置されるフレーム上に、当該修正があったことを視認可能なフレームであって、当該修正された基データが透けて視認可能なフレームを重畳させて表示させることを特徴とする。
【０００８】
請求項３に記載の発明は、組版データの基になる複数の基データをデータベースから取得する取得工程と、前記取得された複数の基データに基づいて組版処理を行う組版工程と、前記組版処理により得られた組版データに対するオペレータからの修正指示に従って前記基データの修正処理を行う修正工程と、前記修正された基データを含む前記複数の基データに基づいて再組版処理を行う組版工程と、前記組版処理及び再組版処理により得られた組版データを表示画面上に表示させる表示制御工程と、を備え、前記表示制御工程においては、前記再組版処理により得られた組版データを表示させる際に、前記修正処理により修正された基データが前記組版データ上で配置される位置に、当該修正があったことを視認可能な情報を当該組版データに重畳させて表示させることを特徴とする。
【０００９】
請求項４に記載の発明は、コンピュータを、組版データの基になる複数の基データをデータベースから取得する取得手段、前記取得された複数の基データに基づいて組版処理を行う組版手段、前記組版処理により得られた組版データに対するオペレータからの修正指示に従って前記基データの修正処理を行う修正手段、前記修正された基データを含む前記複数の基データに基づいて再組版処理を行う組版手段、及び、前記組版処理及び再組版処理により得られた組版データを表示画面上に表示させる表示制御手段として機能させ、前記表示制御手段を、前記再組版処理により得られた組版データを表示させる際に、前記修正処理により修正された基データが前記組版データ上で配置される位置に、当該修正があったことを視認可能な情報を当該組版データに重畳させて表示させるように機能させることを特徴とする。
【発明の効果】
【００１０】
本発明によれば、修正されたデータを用いて再組版処理を行う場合であっても、どの部分が修正されたのかをオペレータに一目で把握させることができ、データ修正に関する作業効率を向上させると共に、オペレータの確認ミスを軽減することができる。
【発明を実施するための最良の形態】
【００１１】
以下、本発明を実施するための最良の実施形態について、図面に基づいて説明する。なお、以下に説明する実施の形態は、ＤＴＰ編集システムに対して本発明を適用した場合の実施形態である。
【００１２】
先ず、図１乃至図３を参照して、本実施形態に係るＤＴＰ編集システムの構成及び機能について説明する。
【００１３】
図１は、本実施形態に係るＤＴＰ編集システムの概要構成例を示す図である。図２は、文字データベースに登録された情報の一例を示す図である。図３は、組版端末の概要構成例を示す図である。
【００１４】
図１に示すように、ＤＴＰ編集システムＳは、データベースサーバ１と、組版装置としての組版端末２とを備えて構成されており、データベースサーバ１と組版端末２とはＬＡＮ（Local Area Network）等のネットワーク３を介して接続されている。
【００１５】
データベースサーバ１は、例えばサーバコンピュータからなり、記憶部（例えばハードディスクドライブ等からなる）には、カタログ、チラシ、又は雑誌等のＤＴＰデータ（組版データの一例）の基になる商品（カタログ等の紙面上に掲載される商品）に関する情報（各種情報の一例）を登録するためのデータベースが構築されている。当該データベースとしては、文字（テキスト）データベース１１、画像データベース１２、及び組み込み体裁データベース１３がある。
【００１６】
図２に示す文字データベース１１には、商品毎に固有に付与された商品番号に対応付けられて、各商品の商品名、商品の価格、及び商品の仕様（例えば、カラー、サイズ、素材）等の文字データが登録されている。なお、文字データベース１１に登録された商品名、商品の価格、及び商品の仕様等の各項目に対応する文字データ、及び画像データベース１２に登録された画像データが、本発明における基データの一例となる。
【００１７】
画像データベース１２には、商品番号に対応付けられて各商品の画像データが登録されている。
【００１８】
組み込み体裁データベース１３には、例えばカタログ等の紙面に掲載すべき各商品の文字及び画像の組み込み体裁（言い換えれば、レイアウト）を示すデータ（例えばＸＭＬ（eＸtensible Markup Language）及びＸＳＬＴ（eＸtensible StylesheetLanguage Transformation）形式で記述）が登録されている。
【００１９】
そして、データベースサーバ１は、組版端末２からの要求に応じて文字データベース１１、画像データベース１２、及び組み込み体裁データベース１３に登録されたデータを取得し、ネットワーク３を介して組版端末２に送信するようになっている。
【００２０】
組版端末２は、図３に示すように、ＣＰＵ，ＲＡＭ，データ及びプログラムを記憶するＲＯＭ等を備える処理部２１、ハードディスクドライブ等を備える記憶部２２、液晶ディスプレイ等を備える表示部２３、マウス及びキーボードを備える操作部２４、及びネットワーク３を介してデータベースサーバ１と通信を行うための通信部２５を備えて構成されている。
【００２１】
そして、処理部２１は、ＣＰＵが例えば記憶部２２に記憶されているＤＴＰ編集アプリケーションプログラム（本発明の組版処理プログラムを含む）を読み出し実行することにより、本発明の取得手段、修正手段、組版手段、及び表示制御手段等として機能し、後述する処理を行うようになっている。
【００２２】
具体的には、処理部２１は、オペレータからの指示（操作部２４の操作による）に従って、ＤＴＰデータの基になる商品に関する情報をデータベースサーバ１及びネットワーク３を介して、文字データベース１１、画像データベース１２、及び組み込み体裁データベース１３から取得し、取得した商品に関する情報（文字データ、画像データ、及び組み込み体裁を示すデータ）をＲＡＭにおいて予め設定されたＤＴＰデータの非表示領域（ＤＴＰデータの記憶領域とは区別された領域）に格納する。
【００２３】
そして、処理部２１は、上記取得した文字データと、画像データと、組み込み体裁を示すデータとに基づき組版処理を行い、組版処理により得られたＤＴＰデータを表示部２３におけるディスプレイ（表示画面）上に表示させる。
【００２４】
なお、予め文字列の置換（例えば、「青」から「ブルー」への置換）、文字列へのカンマの挿入（価格を示す数字の３桁毎にカンマを挿入）等の文字処理が設定されている場合には、当該文字処理が行われた後、組版処理（再組版処理のときも同様）が行われることになる。
【００２５】
更に、処理部２１は、表示されたＤＴＰデータ（上記組版処理により得られたＤＴＰデータ）に対するオペレータからの修正指示（操作部２４の操作による）に従って文字データ又は画像データの修正処理を行うようになっており、当該修正処理により修正された場合には、上記ＲＡＭに格納されている修正前のデータを修正後のデータで上書する。
【００２６】
そして、例えば文字データが修正された後、オペレータから再組版指示（操作部２４の操作による）があった場合、処理部２１は、修正後の文字データと、画像データと、組み込み体裁を示すデータとに基づき再組版処理を行い、再組版処理により得られたＤＴＰデータを表示部２３におけるディスプレイ（表示画面）上に表示させる。更に、処理部２１は、再組版処理により得られた組版データを表示させる際に、修正処理により修正された文字データがＤＴＰデータ上で配置される位置に、当該修正があったことを視認可能な情報を当該ＤＴＰデータに重畳させて表示させるようになっている。
【００２７】
図４（Ａ）は、組版処理により得られたＤＴＰデータ（複数ある小組のうちの一つを示す）の表示例を示す図であり、図４（Ｂ）は、一部の文字データの修正後に再組版処理により得られたＤＴＰデータの表示例を示す図である。図４（Ａ）に示すように、ＤＴＰデータ上には、文字データ及び画像データが予め設定された位置（フレーム）流し込まれて（配置されて）いる。
【００２８】
また、図４（Ｂ）の例では、商品の価格が、「２７，０００円」から「１５，０００円」に修正された例を示しており、修正された文字データがＤＴＰデータ上で配置されるフレーム（商品の価格を表示する領域として予め座標が設定された領域）には、修正があったことを視認可能な情報として、マーキング５１が施されている。このマーキング５１は、オペレータが目視でどの部分が修正されたのかを把握可能なものであればどのようなものであっても良く、例えば、当該フレームをハッチング（網かけ）しても良いし、当該フレームの色を図４（Ａ）に示す同フレームとは異なる色（例えば、赤色）とするように構成しても良い。
【００２９】
このようなマーキング５１は、例えば、再組版処理の際にＤＴＰデータの最上位に作成されるマーキング用レイヤー上に施される。
【００３０】
図５（Ａ）は、一部の文字データの修正後に再組版処理により得られたＤＴＰデータの表示例を示す図であり、図５（Ｂ）は、当該ＤＴＰデータに対応するマーキング用レイヤーを示す図である。概念的には、図５に示すように、ＤＴＰデータ６１と同サイズの透明なマーキング用レイヤー６２が、当該ＤＴＰデータ６１上に重ねられるようになっており、当該マーキング用レイヤー６２上に、マーキングが施されたフレーム６３（マーキングフレーム）が作成（貼り付け）される。このようなマーキングフレームは、修正のあった文字データが配置されるＤＴＰデータ上におけるフレームと同じ座標位置に配置される。また、当該マーキングフレームは、修正のあった文字データが配置されるＤＴＰデータ上におけるフレームと同サイズであり、且つ修正された文字ータが透けて視認可能な（例えば、半透明な）フレームである。
【００３１】
また、マーキング用レイヤー６２は、文字データ、及び画像データが流し込まれていないＤＴＰデータであり、ＤＴＰデータに対する各種設定と同様の設定（例えば、各マーキングフレームを印刷する／しないの設定）を行うことが可能になっている。
【００３２】
次に、図６を参照して、本実施形態に係るＤＴＰ編集システムの動作について説明する。
【００３３】
図６は、処理部２１における修正、再組版処理を示すフローチャートを示す図である。なお、当該動作の前提として、ＤＴＰデータの基になる商品に関する情報が通信部２５及びネットワーク３を介して当該データベースサーバ１から取得され、処理部２１により組版処理が既に行われているものとする。
【００３４】
図６の処理は、オペレータからの修正開始指示（操作部２４の操作による）により開始され、ステップＳ１では、オペレータからの修正指示にしたがって例えば文字データの修正処理が行われる。
【００３５】
次いで、オペレータからの再組版指示（操作部２４の操作による）がなされた場合には（ステップＳ１２：ＹＥＳ）、処理部２１は、修正されたデータを含むデータに基づいて再組版処理を実行する（ステップＳ１３）。再組版処理により得られたＤＴＰデータは、表示部２３におけるディスプレイ（表示画面）上に表示される。
【００３６】
次いで、処理部２１は、データ修正の対象となるデータが配置されているフレーム（テキストフレーム、又は画像フレーム）をＤＴＰデータ上で検索し（ステップＳ１４）、当該検索されたフレーム（修正フレーム）の座標とサイズを取得する（ステップＳ１５）。
【００３７】
次いで、処理部１２は、ＤＴＰデータの最上位にマーキング用レイヤーを作成する（ステップＳ１６）。
【００３８】
次いで、処理部１２は、上記検索された修正フレームと同じ座標位置であって、上記作成したマーキング用レイヤー上に、上記修正フレームと同じサイズのマーキングフレームを作成する（ステップＳ１７）。このとき、当該マーキングフレームには例えば半透明で色をつけたり、ハッチングしたりする等の処理が施される。こうして作成されたマーキングフレームは、ＤＴＰデータ上に重畳されて表示されることになる。
【００３９】
次いで、処理部１２は、上記マーキングフレームに対して「印刷しない」設定を行う（ステップＳ１８）。これにより、マーキングフレームは、オペレータでの目視の確認にのみ利用され、最終的な印刷物には印刷されないようにすることができる。
【００４０】
なお、修正フレームが複数箇所ある場合、夫々に対応するマーキングフレームが作成され、「印刷しない」設定がなされる。
【００４１】
以上説明したように、上記実施形態によれば、ＤＴＰデータが修正された後、当該修正されたデータを用いて再組版処理を行う場合であっても、マーキングフレームによりＤＴＰデータの修正箇所を視覚的に分かり易くすることで、どの部分が修正されたのかをオペレータに一目で把握させることができ、データ修正に関する作業効率を向上させると共に、オペレータの確認ミスを軽減することができる。
【図面の簡単な説明】
【００４２】
【図１】本実施形態に係るＤＴＰ編集システムの概要構成例を示す図である。
【図２】文字データベースに登録された情報の一例を示す図である。
【図３】組版端末の概要構成例を示す図である。
【図４】（Ａ）は、組版処理により得られたＤＴＰデータ（複数ある小組のうちの一つを示す）の表示例を示す図であり、（Ｂ）は、一部の文字データの修正後に再組版処理により得られたＤＴＰデータの表示例を示す図である。
【図５】（Ａ）は、一部の文字データの修正後に再組版処理により得られたＤＴＰデータの表示例を示す図であり、（Ｂ）は、当該ＤＴＰデータに対応するマーキング用レイヤーを示す図である。
【図６】処理部２１における修正、再組版処理を示すフローチャートを示す図である。
【符号の説明】
【００４３】
１  データベースサーバ
２  組版端末
３  ネットワーク
１１  文字データベース
１２  画像データベース
１３  組み込み体裁データベース
２１  処理部
２２  記憶部
２３  表示部
２４  操作部
２５  通信部
Ｓ  ＤＴＰ編集システム
【図１】
2008269039.tif 000003
【図２】
2008269039.tif 000004
【図３】
2008269039.tif 000005
【図４】
2008269039.tif 000006
【図５】
2008269039.tif 000007
【図６】
2008269039.tif 000008